(57)【要約】【課題】使い勝手を向上させることができると共に、照明部材を邪魔にならない位置に保持できる多針ミシンの照明装置を提供する。【解決手段】多針ミシンの照明装置８は、チップＬＥＤを有する照明具２０と、針棒ケース５に設けられ、照明具２０を、針棒１０の手前側或は縫針１１の手前側に位置してチップＬＥＤにより縫針１１の針落ち点の周辺部を照明する照明位置と、針棒１０の手前側及び縫針１１の手前側を開放し且つ針棒ケース５の側面部に沿う収納位置とに切換可能に支持する支持装置２１とを備える。【選択図】図２
2010187977.tif 000002
【特許請求の範囲】
【請求項１】
下端部に縫針を夫々装着した複数の針棒と、前記針棒を上下動可能に支持する針棒ケースとを備えた多針ミシンの照明装置であって、
光源を有する照明部材と、
前記針棒ケースに設けられ、前記照明部材を、前記針棒の手前側或は前記縫針の手前側に位置して前記光源により前記縫針の針落ち点の周辺部を照明する照明位置と、前記針棒の手前側及び前記縫針の手前側を開放し且つ前記針棒ケースの側面部に沿う収納位置とに切換可能に支持する支持手段と、
を備えたことを特徴とする多針ミシンの照明装置。
【請求項２】
前記支持手段は、
前記照明部材を、前記針棒の中心軸線に対して側面視にて平行で且つ正面視にて所定角度傾斜した揺動中心軸線の周りに、前記照明位置と前記収納位置との間で揺動可能に支持する１つの支持軸を有することを特徴とする請求項１記載の多針ミシンの照明装置。
【請求項３】
前記支持手段は、
前記針棒ケースの側面部に固定される取付部と、
前記取付部と前記照明部材とを連結する連結アームと、
前記取付部に対し前記連結アームを介して前記照明部材を揺動可能に支持する前記支持軸とを有し、
前記照明部材は、
長尺形状をなし、前記照明位置で前記複数の針棒に沿って略水平になり前記収納位置で前記針棒ケースの側面部に沿って略垂直になるよう、前記連結アームに連結されていることを特徴とする請求項２記載の多針ミシンの照明装置。
【請求項４】
前記支持手段は、前記照明部材を前記針棒ケースに対して揺動可能に支持する揺動機構を有し、
前記揺動機構は、前記針棒の中心軸線に対して側面視にて平行で且つ正面視にて所定角度傾斜した揺動中心軸線の周りに、前記照明部材を前記照明位置と前記収納位置との間で揺動可能に支持するように構成されていることを特徴とする請求項１記載の多針ミシンの照明装置。
【請求項５】
前記照明部材の位置を検出する検出手段を有し、
前記検出手段の検出結果に応じて前記光源が点灯又は消灯するように構成されていることを特徴とする請求項１から４の何れかに記載の多針ミシンの照明装置。
【請求項６】
前記照明部材は、前記支持手段により前記照明位置における前記針落ち点の周辺部に対する前後方向の照明角度を調整可能に支持されていることを特徴とする請求項１から５の何れかに記載の多針ミシンの照明装置。
【発明の詳細な説明】
【技術分野】
【０００１】
本発明は、下端部に縫針を夫々装着した複数の針棒と、前記針棒を上下動可能に支持する針棒ケースとを備えた多針ミシンの照明装置に関する。
【背景技術】
【０００２】
従来より、前記の多針ミシンでは、各針棒の針元や加工布の表面を照明する照明装置を備えたものが供されている。例えば、特許文献１の多針ミシンでは、針棒を上下動可能に支持する針棒ケースの下面に、照明装置としての蛍光灯が、針棒の配列に沿って前側に張り出すように取付け固定されており、各針棒の針元を充分に照明するようになっている。
【０００３】
尚、特許文献２には、多針ミシンでない一般のミシンにおいて、照明器側部材（照明部材）を、ミシン側の部材に支持させる照明部材の支持装置が開示されている。この支持装置は、ミシンのアーム部上面に設けられたパイプブラケットと、このブラケットの先端に、ヒンジ部を介して照明部材を回動可能に支持する支持パイプとを備えている。この支持装置にあっては、前記ヒンジ部の他、支持パイプの端部や支持パイプの途中部にもヒンジ部を有し、これらのヒンジ部を支点に支持パイプ或は照明部材を回動させることで照明部材の位置調整を行うことができ、縫針の針先周辺等、所望の部位を照明することができる。
【先行技術文献】
【特許文献】
【０００４】
【特許文献１】特開平１１−２５３６８５号公報
【特許文献２】特許第３２５８９２９号公報
【発明の概要】
【発明が解決しようとする課題】
【０００５】
しかしながら、特許文献１の多針ミシンでは、蛍光灯が各針棒及び上糸の手前側に位置して設けられているため、上糸の糸掛けや縫針の交換作業の際に蛍光灯が邪魔になるという課題がある。
一方、特許文献２の照明部材の支持装置では、ミシンの保守作業等の際に、照明部材を、作業に邪魔にならない位置に移動させることができる。ところが、この場合、照明部材を使用者が設定した最適な位置から移動させることになるため、前記の作業の後、再び照明部材を元の位置に調整する（再設定する）必要があり、面倒である。
つまり、多針ミシンにおいて、照明部材を固定状態に取付けた場合、或は前述した支持装置を適用して照明部材を位置調整可能に設けた場合でも、夫々に短所を内在しており、これら両方の短所を同時に改善することが望まれている。
【０００６】
本発明は上記事情に鑑みてなされたものであり、その目的は、使い勝手を向上させることができると共に、照明部材を邪魔にならない位置に保持できる多針ミシンの照明装置を提供することである。
【課題を解決するための手段】
【０００７】
上記した目的を達成するために、本発明の請求項１の多針ミシンの照明装置は、下端部に縫針を夫々装着した複数の針棒と、前記針棒を上下動可能に支持する針棒ケースとを備えた多針ミシンの照明装置であって、光源を有する照明部材と、前記針棒ケースに設けられ、前記照明部材を、前記針棒の手前側或は前記縫針の手前側に位置して前記光源により前記縫針の針落ち点の周辺部を照明する照明位置と、前記針棒の手前側及び前記縫針の手前側を開放し且つ前記針棒ケースの側面部に沿う収納位置とに切換可能に支持する支持手段と、を備えたことを特徴とする。
【０００８】
上記構成によれば、照明部材を照明位置たる針棒の手前側或は縫針の手前側に位置させることにより、縫針の針落ち点の周辺部を充分に照明することができる。他方、照明部材を収納位置たる針棒ケースの側面部に沿って位置させることにより、針棒や縫針の手前側を完全に開放した状態で、上糸の糸掛けや縫針の交換を行うことができ、照明部材が邪魔になることがない。また、この照明部材の移動を、支持手段によって照明位置と収納位置との間で切換えるだけで簡単に行うことができ、使い勝手を向上させることができる。
【０００９】
請求項２の多針ミシンの照明装置は、請求項１の発明において、前記支持手段は、前記照明部材を、前記針棒の中心軸線に対して側面視にて平行で且つ正面視にて所定角度傾斜した揺動中心軸線の周りに、前記照明位置と前記収納位置との間で揺動可能に支持する１つの支持軸を有することを特徴とする。
請求項３の多針ミシンの照明装置は、請求項２の発明において、前記支持手段は、前記針棒ケースの側面部に固定される取付部と、前記取付部と前記照明部材とを連結する連結アームと、前記取付部に対し前記連結アームを介して前記照明部材を揺動可能に支持する前記支持軸とを有し、前記照明部材は、長尺形状をなし、前記照明位置で前記複数の針棒に沿って略水平になり前記収納位置で前記針棒ケースの側面部に沿って略垂直になるよう、前記連結アームに連結されていることを特徴とする。
【００１０】
請求項４の多針ミシンの照明装置は、請求項１の発明において、前記支持手段は、前記照明部材を前記針棒ケースに対して揺動可能に支持する揺動機構を有し、前記揺動機構は、前記針棒の中心軸線に対して側面視にて平行で且つ正面視にて所定角度傾斜した揺動中心軸線の周りに、前記照明部材を前記照明位置と前記収納位置との間で揺動可能に支持するように構成されていることを特徴とする。
請求項５の多針ミシンの照明装置は、請求項１から４の何れかの発明において、前記照明部材の位置を検出する検出手段を有し、前記検出手段の検出結果に応じて前記光源が点灯又は消灯するように構成されていることを特徴とする。
請求項６の多針ミシンの照明装置は、請求項１から５の何れかの発明において、前記照明部材は、前記支持手段により前記照明位置における前記針落ち点の周辺部に対する前後方向の照明角度を調整可能に支持されていることを特徴とする。
【発明の効果】
【００１１】
請求項１の多針ミシンの照明装置によれば、照明部材を照明位置たる針棒の手前側或は縫針の手前側に位置させることにより、縫針の針落ち点の周辺部を充分に照明することができる。他方、照明部材を収納位置たる針棒ケースの側面部に沿って位置させることにより、針棒や縫針の手前側を完全に開放した状態で、上糸の糸掛けや縫針の交換を行うことができ、照明部材が邪魔になることがない。また、この照明部材の移動を、支持手段によって照明位置と収納位置との間で切換えるだけで簡単に行うことができ、使い勝手を向上させることができる。
【００１２】
請求項２の多針ミシンの照明装置によれば、請求項１に記載の発明の効果に加え、支持手段は、支持軸を揺動支点とする支持構造を有するので、簡単な構成で照明部材を照明位置と収納位置とに切換えることができる。
例えば照明部材を照明位置から収納位置へ切換える場合、本発明と異なり２つのヒンジ部を用いて、針棒ケースに対し左右方向と前後方向とに各別に揺動させることも考えられる。これに対し、請求項２の発明によれば、支持軸の中心軸としての揺動中心軸線が、針棒の中心軸線に対して側面視にて平行で且つ正面視にて所定角度傾斜するように設定されているため、１つの支持軸で照明部材を照明位置と収納位置との間で揺動させることができ、支持手段の構成を極力簡単にできる。
【００１３】
請求項３の多針ミシンの照明装置によれば、請求項２に記載の発明の効果に加え、照明部材は長尺形状をなし、照明位置で略水平になるので複数の針棒の配列に沿って照明することができる。また、長尺形状をなす照明部材を、収納位置で針棒ケースの側面部に沿って略垂直に起立させることで、コンパクトに収納することができ、多針ミシンに好適な照明装置とすることができる。
請求項４の多針ミシンの照明装置によれば、請求項１に記載の発明の効果に加え、支持手段は、針棒ケースに対し照明部材を揺動させる揺動機構を備えるので、簡単な構成で照明部材を照明位置と収納位置とに切換えることができる。また、揺動機構の揺動中心軸線は、針棒の中心軸線に対して側面視にて平行で且つ正面視にて所定角度傾斜するように設定されているので、請求項２と同様に支持手段の構成を極力簡単にできる。
【００１４】
請求項５の多針ミシンの照明装置によれば、請求項１から４の何れかに記載の発明の効果に加え、照明部材の位置の切換えに伴い光源が点灯又は消灯するため、光源を、照明部材の照明位置で点灯させ収納位置で消灯させることができる。つまり、点灯用の操作スイッチを別途設け、光源を点灯又は消灯させるために、使用者がその操作スイッチを操作するというようなことが不要となる。従って、操作性に優れると共に省エネルギーの観点からも好ましく、実用上において有益な照明装置とすることができる。
請求項６の多針ミシンの照明装置によれば、請求項１から５の何れかに記載の発明の効果に加え、照明位置において、針落ち点の周辺部に対する前後方向の照明角度を、使用者の好みに応じて適宜調整することができ、使い勝手のよいものとすることができる。
【図面の簡単な説明】
【００１５】
【図１】本発明の一実施形態を示すものであり、照明装置を備えた多針ミシンＭの正面図
【図２】（ａ）及び（ｂ）は、照明装置と針棒ケースの側面図及び正面図
【図３】針棒ケースのカバー及び支持装置のカバーを外した状態を示す図２（ａ）相当図
【図４】照明装置の照明位置における正面図
【図５】（ｂ）は透光部側から見た照明具の底面図、（ａ）は（ｂ）のVａ−Vａ線に沿って示す断面図
【図６】図８（ａ）のVI−VI線に沿って示す照明具の断面図
【図７】（ａ）及び（ｂ）は、照明具により下方及び斜め後下方を照明した状態を一部破断して示す右側面図
【図８】（ａ）及び（ｂ）は、照明具の内部構造を示す平面図及び側面図
【図９】取付部と支持軸とを分解して示す拡大側面図
【図１０】連結アームを図４のＡ１方向から見た拡大矢視図
【図１１】（ａ）及び（ｂ）は、取付部用カバー及びアーム用カバーを図２のＡ１方向から見た拡大矢視図
【図１２】電気的構成を示すブロック図
【図１３】照明具を照明位置に切換えた状態での支持装置を示すもので、（ａ）は支持装置を図２のＡ２方向から見た拡大矢視図、（ｂ）は、図４のXIIIｂ−XIIIｂ線に沿う断面図
【図１４】照明具を収納位置に切換えた状態での支持装置を示す図１３相当図
【発明を実施するための形態】
【００１６】
以下、本発明を多針式刺繍ミシン（以下、多針ミシンＭと称す）に適用した一実施形態について、図１〜図１４を参照しながら説明する。図１は、後述する照明装置と共に示す多針ミシンＭの正面図であり、使用者（ユーザ）が位置する方向を前方として説明する。
図１に示すように、多針ミシンＭは、このミシン全体を支持する左右１対の脚部１と、その脚部１の後端部から立設された脚柱部２と、その脚柱部２の上部から前方に延びるアーム部３と、脚柱部２の下端部から前方に延びるシリンダベッド４と、アーム部３の前端部に装着された針棒ケース５とを備えると共に、多針ミシンＭの制御全般を司る制御装置６（図１２参照）や操作パネル７等を具備して構成されている。
【００１７】
この多針ミシンＭの全体的な概略構成について、照明装置８に係る部分を除き、本願出願人が出願した特願２００６−５６０８７号に開示した構成と同じである。以下、簡単に説明すると、脚部１の上側に配置された左右方向向きのキャリッジ９は、図示しないＹ方向駆動機構によりＹ方向（前後方向）に駆動され、このキャリッジ９の前側に設けられた枠取付台（図示略）は、図示しないＸ方向駆動機構によりＸ方向（左右方向）に駆動される。刺繍縫製に供する加工布（図示略）は矩形枠状の刺繍枠（図示略）に保持され、この刺繍枠が、前記枠取付台に取付けられることでキャリッジ９と同期してＹ方向に移動し、或は枠取付台と共にＸ方向に移動して、加工布が布送りされる。
前記針棒ケース５には、左右に配列された上下方向に延びる６本の針棒１０が上下動可能に支持されており、各針棒１０の下端部には、縫針１１が夫々装着されている。針棒ケース５には、各針棒１０に対応する６つの天秤１２が上下動可能に装着されている。尚、針棒ケース５には合成樹脂製のカバー５ａが取付けられており、図３は、当該カバー５ａを外した状態における針棒ケース５の側面図を示している。
【００１８】
針棒ケース５の上端部には、各縫針１１に供給される上糸の為の６つの糸調子器１４が配設された、傾斜状の糸調子台１３が固定されている。図示は省略するが、アーム部３の上側には６個の糸立て棒が立設された糸立て台が配設されており、各糸立て棒に装着された糸駒から延びる上糸が、対応する糸調子器１４及び天秤１２等に夫々掛けられた後、前記縫針１１の目孔（図示略）に夫々供給される。前記アーム部３の内部には、糸替えに際して針棒ケース５をＸ方向へ移動させる針棒選択機構（図示略）が設けられており、６組の針棒１０及び天秤１２のうち１組の針棒１０及び天秤１２だけが択一的に駆動位置に移動される。この針棒１０及び天秤１２は、脚柱部２に設けられたミシンモータ１６（図１２参照）の駆動により前記駆動位置で同期して上下動されると共に、シリンダベッド４の前端部に設けられた回転釜（図示略）と協働することによって、前記刺繍枠に保持された加工布に刺繍縫目が形成される。
前記シリンダベッド４の上面には針板４ａ（図７にのみ図示）が設けられており、この針板４ａに縫針１１の針落ち点としての針穴（図示略）が形成されている。そして、前記針棒ケース５には針落ち点の周辺部を照明するための照明装置８が設けられている。
【００１９】
続いて、この照明装置８について、図２〜図８も参照しながら説明する。
図２、図４に示すように、照明装置８は、光源を有し長尺形状をなす照明具２０（照明部材）と、針棒ケース５に設けられ照明具２０を支持する支持装置２１（支持手段）とを備えている。ここで、図５において、（ｂ）は照明具２０の底面図を示しており、（ａ）は（ｂ）のVａ−Vａ線に沿って示す断面図を示している。
【００２０】
照明具２０は、外郭をなすカバー本体２２とその下面側に設けられた透光部２３とを有し、全体として長尺形状をなしている。カバー本体２２は、例えば合成樹脂材料からなり、中空で下面側が開放された蒲鉾状に形成されている。図５（ａ）に示すように、カバー本体２２の内部には、左右両端部に位置して一対のボス部２２ａが形成されると共に、ボス部２２ａの直ぐ内側に位置して下方に伸びる一対の上側リブ２２ｂが一体形成されている。また、カバー本体２２の左右両端面２２ｃ，２２ｄには、後述するロッド部材２４が貫通する貫通孔２２ｅ、２２ｆ（図４参照）が形成されている。照明具２０の基端側の貫通孔２２ｅは、後述する照明具２０のリード線３０を引き出すべく貫通孔２２ｆに比し若干大きく切欠くように形成されている。
【００２１】
透光部２３は例えば透明なアクリル材からなり、カバー本体２２を下側から覆う浅底な矩形容器状をなし、その下面部は側面視にて緩やかな円弧状に形成されている（図７参照）。図５（ａ）に示すように、透光部２３の上面側には、前記ボス部２２ａに対応する一対の螺子用孔２３ａが形成されている。透光部２３の螺子用孔２３ａに挿通された螺子２６が、カバー本体２２のボス部２２ａに螺挿されることにより、カバー本体２２に透光部２３が固定されている。また、透光部２３の上面側には、上側リブ２２ｂに対向する下側リブ２３ｂが形成されている。
【００２２】
照明具２０の内部には、上側リブ２２ｂ及び下側リブ２３ｂにより上下方向から挟持された金属板製のベース部材２５が収容されている。
ここで、図８（ａ）及び（ｂ）は、照明具２０の内部構造を示す平面図及び側面図である。同図に示すように、ベース部材２５の両端部には、上方へ屈曲された折曲部２５ａ、２５ｂが設けられており、この折曲部２５ａ、２５ｂに、ロッド部材２４が貫通する貫通孔２５ｃ，２５ｄが形成されている。前記カバー本体２２の貫通孔２２ｅ、２２ｆとベース部材２５の貫通孔２５ｃ，２５ｄとに夫々ロッド部材２４が挿通されることで、照明具２０がロッド部材２４に対し回動可能に取付けられている。
【００２３】
ベース部材２５の折曲部２５ｂ側の端部には、ロッド部材２４の長手方向に対し直交する方向に延びる長円状の孔２５ｅ（図６、図８（ａ）参照）が形成されている。一方、ロッド部材２４には、当該ロッド部材２４の径方向外側へ突出する係止ピン２４ａが固着されている。この係止ピン２４ａは孔２５ｅに挿通されており、ロッド部材２４に対してベース部材２５が回動したときに、係止ピン２４ａが孔２５ｅの内壁に当接することでベース部材２５の回動範囲を規制する。即ち、照明具２０の回動範囲を、針落ち点の周辺部の照明に好適な所定の範囲に規制する。例えば、図６に示すように、係止ピン２４ａが孔２５ｅの内壁の後方と当接することで、図７（ａ）に示すように、照明具２０が使用者側（前方）を向かないよう、針落ち点の周辺部に対する前後方向の照明角度αを略９０度に規制する。また、図７（ｂ）に示すように、照明具２０を回動させたときには、係止ピン２４ａが孔２５ｅの内壁の前方と当接することで、前記照明角度αが小さくなりすぎないように（後方へ傾きすぎないように）規制する。ここで、図６は、図８のVI−VI線に沿って示す断面図であり、図８には、カバー本体２２と透光部２３は図示されていないが、図７の説明の都合上、カバー本体２２と透光部２３の断面も合わせて示している。
【００２４】
図８に示すように、ベース部材２５の折曲部２５ａ側の端部には、照明具２０の回動方向の位置を保持する第１板バネ２７が配置されている。第１板バネ２７は、板状の固定部２７ａとこの固定部２７ａの側部に形成された半円筒状のバネ片２７ｂとを一体に有する。第１板バネ２７は、固定部２７ａにおいて２つの螺子２７ｃによりベース部材２５に取付けられ、バネ片２７ｂがロッド部材２４の外周面に対し弾性的に圧接することで、ベース部材２５（照明具２０）を前述した回動範囲内の任意の位置で保持する保持手段として構成されている。ベース部材２５の長手方向の中間部には、切欠部２５ｆが形成されており、ベース部材２５の下面側には基板２８が配置されている。
基板２８は、ベース部材２５に沿う板状をなし、その両端部において一対の螺子２８ａによりベース部材２５に固定されている。この基板２８の下面側には、光源として例えば、複数（２つ）のチップＬＥＤ２９が配置されている。チップＬＥＤ２９は、照明具２０の照明位置において前記複数の針棒１０の配列に沿うように、左右に所定間隔を存して基板２８に装着されている。また、基板２８の上面側には、ベース部材２５の切欠部２５ｆに臨む位置に、チップＬＥＤ２９への通電用のリード線３０が接続されるコネクタ部３１が設けられている。
【００２５】
さて、本実施形態の照明具２０は、支持装置２１により、前記針落ち点の周辺部を照明する照明位置（図２に実線で示す位置）と、針棒ケース５の側面部に沿う収納位置（図２に２点鎖線で示す位置）とに切換可能に支持されている。この支持装置２１について図９〜図１１も参照しながら詳述する。
図４に示すように、支持装置２１は、針棒ケース５の側面部に固定される取付部３２と、取付部３２と照明具２０とを連結する連結アーム３３と、取付部３２に対し連結アーム３３を介して照明具２０を揺動可能に支持する支持軸３４とを有する。ここで、図９は、取付部３２と支持軸３４を分解した状態で示す左側面図であり、図１０は連結アーム３３を図４のＡ１方向から見た矢視図である。
【００２６】
図９に示すように、取付部３２は、前後方向に延び且つ傾斜面３５ａを有する傾斜部３５と、この傾斜部３５の後半部から上方に突出する平板状の平板部３６を一体に有し、側面視にて略Ｌ字状に形成されている。平板部３６には一対の取付孔３６ａが形成されており、これら取付孔３６ａに挿通された螺子３６ｂ（図３参照）により、取付部３２が針棒ケース５の左側面の下端部に取付け固定されている。取付部３２の傾斜面３５ａは、前半部の前側傾斜面３５ｂと後半部の後側傾斜面３５ｃとからなり、何れの傾斜面３５ｂ，３５ｃも平板部３６に対し例えば４５度傾斜している（図４参照）。前側傾斜面３５ｂの中央部には、当該傾斜面３５ｂに対して垂直に貫通する支持軸３４用の螺子孔３５ｄが形成されている。また、前側傾斜面３５ｂにおける、後方上端部と前方下端部（つまり対向する２箇所の隅部）に、凸状の係止片３７ａ，３７ｂが形成されている。後側傾斜面３５ｃには、クランク状に屈曲形成された第２板バネ３８が配置されている。第２板バネ３８は、後側傾斜面３５ｃに沿う板状の固定部３８ａと、この固定部３８ａの下端部に形成された前方に延びる帯状のバネ片３８ｂとを有し、固定部３８ａにおいて２つの螺子３８ｃにより後側傾斜面３５ｃに取付けられている。バネ片３８ｂは、その先端に山形状の当接部３８ｄが形成されており、後述する連結アーム３３の２つの節度用凹部３９ａ、３９ｂ（図１０、図１３（ｂ）、図１４（ｂ）参照）に当接部３８ｄが択一的に嵌合するようになっている。
【００２７】
図９に示すように、支持軸３４は、軸本体部３４ａと、この軸本体部３４ａにおける一端部に形成された螺子部３４ｂ及び他端部に形成された頭部３４ｃとを一体に有し、螺子部３４ｂが取付部３２の螺子孔３５ｄに螺挿されることで取付け固定されている。これにより、支持軸３４は、その中心軸（以下、揺動中心軸線Ｌ１と称す）が、針棒１０の中心軸線Ｌ２に対して側面視にて平行で（図２（ｂ）参照）且つ正面視にて所定角度傾斜する（例えば４５度の傾斜角度、図２（ａ）参照）ように設定されている。支持軸３４には、揺動中心軸線Ｌ１に沿う貫通孔３４ｄが形成されている。また、支持軸３４の頭部３４ｃには、工具による支持軸３４の回動操作を容易にするための溝部３４ｅが形成されている。
【００２８】
図４に示すように、連結アーム３３は、取付部３２と照明具２０とを連結し且つ取付部３２の傾斜面３５ａに沿って延びており、支持軸３４により取付部３２に揺動可能に支持されている。詳細には、図１０に示すように、連結アーム３３は、基端側の円筒部４０と、先端側（照明具２０側）のブロック部４１と、両者４０，４１を接続するアーム部４２とからなる。
円筒部４０には支持軸３４が挿通されおり、円筒部４０の内周面４０ａに軸本体部３４ａが摺接するようになっている。また、円筒部４０は、軸方向における一方の端面４０ｂが取付部３２の前側傾斜面３５ｂと摺接する。円筒部４０の外周部には、一方の端面４０ｂ側に位置して略１８０度間隔で対向する節度用凹部３９ａ、３９ｂが形成され、他方の端面４０ｃ側（図４、図１３（ａ）参照）に位置して径方向外側に張出す扇状のカム部４０ｄが形成されている。
ブロック部４１には、図４に示す照明具２０の照明位置で略鉛直となる面取り面４１ａ、４１ｂが形成されると共に、この面取り面４１ａ、４１ｂに対して垂直に貫通する孔部４１ｃが形成されている。ブロック部４１の孔部４１ｃには、前記ロッド部材２４の一方の端部が挿通されて図示しない螺子にて固着されている。これにより、連結アーム３３は、ロッド部材２４（照明具２０）と共に揺動中心軸線Ｌ１の周りに揺動するようになっている。
【００２９】
図４、図１０に示すように、アーム部４２は、断面が略十字形の所謂形鋼のような形態をなし、４つのフランジ４２ａ，４２ｂ，４２ｃ，４２ｄを一体に有して構成されている。アーム部４２のフランジ４２ｂには、円筒部４０の端面４０ｂ寄りの端部に、クランク状の係合段部４２ｅが形成されており、この係合段部４２ｅは、前記取付部３２の係止片３７ａ，３７ｂと当接して係止することで、照明具２０の揺動範囲を規制する。即ち、照明具２０は、その揺動の際、アーム部４２の係合段部４２ｅが係止片３７ｂに係止されることで（図１３（ｂ）参照）、針棒１０の手前側或は縫針１１の手前側に位置してチップＬＥＤ２９により前記針落ち点の周辺部を照明する照明位置に位置する。また、照明具２０は、アーム部４２の係合段部４２ｅが係止片３７ａに係止されることで（図１４（ｂ）参照）、針棒１０の手前側及び縫針１１の手前側を開放し且つ針棒ケース５の側面部に沿う収納位置に位置する。
【００３０】
図４、図１３（ａ）に示すように、連結アーム３３の円筒部４０には、支持軸３４の頭部３４ｃを覆う座金４４が設けられている。座金４４は、孔部４４ａを有する円板部４４ｂと、円板部４４ｂの外縁部から径方向外側に突出する一対の角（つの）部４４ｃを一体に有する。座金４４は、これら角部４４ｃが連結アーム３３の円筒部４０に沿って折曲げられることで連結アーム３３と一体に揺動するように設けられている。この座金４４の孔部４４ａ及び支持軸３４の貫通孔３４ｄに、前記リード線３０が通されるが、円板部４４ｂにより頭部３４ｃが覆われることで、連結アーム３３の揺動時における、頭部３４ｃの溝部３４ｅとの接触によるリード線３０の損傷が防止される。
【００３１】
上記取付部３２及び連結アーム３３には、夫々取付部用カバー４５及びアーム用カバー４６が取付けられている。これらカバー４５，４６について図１１も参照しながら説明する。ここで、図１１（ａ）及び（ｂ）は、取付部用カバー４５及びアーム用カバー４６を拡大して示す図２のＡ１方向から見た矢視図である。
図１１（ａ）に示すように、取付部用カバー４５は、取付部３２の後側傾斜面３５ｃを覆う箱形容器状をなし、その外周壁部４５ａには、第２板バネ３８のバネ片３８ｂを覆う延出片部４５ｂが形成されると共に、連結アーム３３のカム部４０ｄに臨む部位に切欠部４５ｃが形成されている。取付部用カバー４５の内部には、切欠部４５ｃの近傍に検出スイッチ４７（検出手段）が配置されると共に、この検出スイッチ４７を保持する板状のホルダ４８が螺子４８ａにより固定されている。検出スイッチ４７は、連結アーム３３のカム部４０ｄの外周面に摺接（接触）可能な検出レバー４７ａを有する。この検出スイッチ４７は、照明具２０が揺動する際、検出レバー４７ａがカム部４０ｄの外周面と離間或は接触することに伴い矢印Ｂ１或は矢印Ｂ２方向へ動作することで、オンオフ動作する。尚、図１１（ａ）には、検出スイッチ４７のオンオフ信号を送出するリード線４９の一部を示している。このリード線４９は、取付部３２側から針棒ケース５側に引き出され、制御装置６（図１２参照）に接続されている。
また、取付部用カバー４５の内部には、取付孔部４５ｄが形成されている。この取付孔部４５ｄに挿通された螺子（図示略）が、取付部３２の後側傾斜面３５ｃに形成された螺子孔３５ｅに螺挿されることにより、取付部用カバー４５が取付部３２に固定されている。
【００３２】
図１１（ｂ）に示すように、アーム用カバー４６は、連結アーム３３を覆う長円形の容器状をなし、その周壁部４６ａには、連結アーム３３のカム部４０ｄを露出させる切欠部４６ｂと、連結アーム３３の面取り面４１ｂを露出させる切欠部４６ｃとが形成されている。アーム用カバー４６の内部には、アーム部４２のフランジ４２ａが嵌合する嵌合凹部５０ａを有する２つの補強リブ５０が形成されている。また、アーム用カバー４６内の端部には、支持軸３４の貫通孔３４ｄに嵌合する嵌合凸部５１と、座金４４の円板部４４ｂに当接する当接凸部５２とが同心状に突設されている。嵌合凸部５１及び当接凸部５２は、夫々前記嵌合凹部５０ａに連なるような切欠部５１ａ及び切欠部５２ａを有してＣ字状をなしている。
照明具２０のリード線３０は、アーム用カバー４６において各嵌合凹部５０ａと切欠部５１ａ，５２ａとに通されることで（図１１（ｂ）中、２点鎖線参照）連結アーム３３の長手方向に沿って外部に露出しないように収容される。ここで、図４には、上記のカバー４５，４６を外した状態において、リード線３０を２点鎖線で示している。同図に示すように、リード線３０は、照明具２０の貫通孔２２ｅから連結アーム３３側に引き出され、この連結アーム３３の側面部、座金４４の孔部４４ａ、支持軸３４の貫通孔３４ｄ及び取付部３２の裏面側を経由して、多針ミシンＭの駆動回路５３（図１２参照）に接続されている。
アーム用カバー４６の内部には２つのボス部４６ｄが形成されており、前記アーム部４２のフランジ４２ａ，４２ｃには螺子用孔４２ｆ（図１０参照）が夫々形成されている。このアーム部４２の螺子用孔４２ｆに挿通された螺子（図示略）が、アーム用カバー４６のボス部４６ｄに螺挿されることにより、アーム用カバー４６が連結アーム３３に固定されている。
【００３３】
図２（ａ）に示すように、針棒ケース５右側の下端部には、照明具２０の照明位置を保持するための受け部材５４が設けられている。詳しい図示は省略するが、受け部材５４は、前面側が開放された側面視にて略Ｃ字状の受け部５４ａを有し、図示しない螺子により取付け固定されている。
他方、図４、図８に示すように、ロッド部材２４は、照明具２０及び連結アーム３３のブロック部４１を貫通する長尺な棒状をなしており、ロッド部材２４の先端部には、受け部材５４に着脱可能に保持される保持部材５５が固定されている。保持部材５５は、照明具２０のカバー本体２２の端面２２ｄに沿う板状をなし、両端部に貫通孔５５ａ，５５ｂを有する。即ち、保持部材５５は、この貫通孔５５ａを貫通するロッド部材２４の先端部にて固定され、ロッド部材２４と直交するように配設されている。また、保持部材５５の貫通孔５５ｂには、受け部材５４の受け部５４ａに着脱可能に係止される固定ピン５５ｃが固着されている。尚、保持部材５５の長手方向の中間部には、取手部５５ｄが屈曲形成されており、使用者はこの取手部５５ｄを把持する等して、受け部材５４の受け部５４ａに保持部材５５の固定ピン５５ｃを着脱したり、照明具２０の位置を切換えることができる。
上記の取付部３２、連結アーム３３、支持軸３４、ロッド部材２４、座金４４、取付部用カバー４５、アーム用カバー４６、受け部材５４、保持部材５５等は、本発明の揺動機構としての支持装置２１に相当する。詳しくは後述するように、この支持装置２１によって、照明具２０は、針棒ケース５や刺繍枠等の多針ミシンＭ側の部材に対して接触することなく照明位置と収納位置との間で揺動し、これら照明位置或は収納位置で保持される。
【００３４】
続いて、本実施形態の制御系の構成について、図１２のブロック図を参照しながら説明する。多針ミシンＭの制御手段である制御装置６は、ＣＰＵ６ａ、ＲＯＭ６ｂ、ＲＡＭ６ｃ等を含みマイクロコンピュータを主体に構成されている。この制御装置６には、操作パネル７、検出スイッチ４７が接続されると共に、ミシンモータ１６用の駆動回路５６、照明具２０用の駆動回路５３等が接続されている。
制御装置６は、検出スイッチ４７で検出された検出結果に応じて、照明具２０のチップＬＥＤ２９が点灯又は消灯するように制御する。例えば、制御装置６は、照明具２０が照明位置に移動することに伴い検出スイッチ４７がオン状態（図１３参照）となる場合にのみチップＬＥＤ２９を点灯させるように制御する。ＲＯＭ６ｂには、縫製制御プログラム等が格納されており、ＲＡＭ６ｃには、各種の制御を実行するに際して必要なメモリ類（バッファやカウンタ等）が必要に応じて設けられている。そして、制御装置６は、前記縫製制御プログラムに従って、ミシンモータ１６等の各種アクチュエータを駆動制御し、加工布に対する縫製動作を実行するようになっている。
【００３５】
上記照明装置８の作用について、図１３、図１４も参照しながら説明する。これら図１３、図１４において、（ａ）は支持装置２１を図２のＡ２方向から見た矢視図であり、（ｂ）は図４のXIIIｂ−XIIIｂ線に沿う断面図である。
図２（ａ）、（ｂ）に２点鎖線で示すように、収納位置の照明具２０は、針棒１０の手前側及び縫針１１の手前側を開放し且つ針棒ケース５の側面部に沿って略垂直に起立した状態にある。この状態では、図１４（ｂ）に示すように、支持装置２１において、第２板バネ３８の当接部３８ｄが連結アーム３３の節度用凹部３９ａに当接すると共に、取付部３２の係止片３７ａで連結アーム３３の係合段部４２ｅを係止することにより、照明具２０の収納位置が保持されている。また、検出スイッチ４７は、検出レバー４７ａがカム部４０ｄの外周面と接触したオフ状態（図１４（ａ）参照）にあり、チップＬＥＤ２９は消灯している。
【００３６】
この照明具２０を照明位置へ切換える場合、使用者は、例えば保持部材５５の取手部５５ｄを把持して、照明具２０を図２中、矢印Ｃ１方向に移動させる。これにより、照明具２０は、支持装置２１によって支持軸３４の周りに（つまり揺動中心軸線Ｌ１の周りに）、図２に実線で示す照明位置まで揺動することに伴い、連結アーム３３は側面視にて略１８０度揺動した状態となる。このとき、図１３（ｂ）に示すように、支持装置２１において、第２板バネ３８の当接部３８ｄが連結アーム３３の節度用凹部３９ｂに当接することで使用者に節度感が与えられると共に、取付部３２の係止片３７ｂで連結アーム３３の係合段部４２ｅを係止することにより、照明具２０の照明位置が保持される。また、この照明位置の手前側の位置で（厳密には例えば連結アーム３３が収納位置から略１６０度揺動した位置で）、検出レバー４７ａがカム部４０ｄの外周面と離間することに伴い矢印Ｂ１方向へ動作する（図１３（ａ）参照）。これにより、検出スイッチ４７がオン状態になることに応じて、制御装置６はチップＬＥＤ２９を点灯させる。
【００３７】
そして、使用者は、針棒ケース５の右側下端部における受け部材５４の受け部５４ａに対し、保持部材５５の固定ピン５５ｃを嵌め込む。これにより、照明具２０及びロッド部材２４は、６本の針棒１０の配列に沿って略水平になり、照明具２０の照明位置が確実に保持される。
図６及び図７に示すように、照明具２０の照明位置にあっては、照明具２０を、ロッド部材２４に対して回動させることで、前記針落ち点の周辺部に対する前後方向の照明角度αを所望の角度に調整することができる。この調整の際、照明具２０の回動範囲は、係止ピン２４ａが孔２５ｅの内壁に当接して係止されることで、針落ち点の周辺部に対しチップＬＥＤ２９の光を略垂直に照射する位置（図７（ａ）参照）と、針落ち点の周辺部に対し斜め後下方に傾斜してチップＬＥＤ２９の光を照射する位置（図７（ｂ）参照）との間で規制される。この回動範囲内で設定された照明角度αは、第１板バネ２７のバネ片２７ｂがロッド部材２４の外周面に対し弾性的に圧接することで保持される。これにより、縫針１１の針落ち点の周辺部を所望の照明角度αで充分に照明することができ、縫針１１への糸通しや加工布上の柄の確認等を楽に行うことができる。
【００３８】
他方、上糸の糸掛けや縫針１１の交換作業を行う場合、或は照明具２０を使用しない時には、使用者は、例えば保持部材５５の取手部５５ｄを把持して、受け部材５４の受け部５４ａから保持部材５５の固定ピン５５ｃを外し、照明位置に在る照明具２０を矢印Ｃ２方向へ揺動させる。この照明具２０の揺動操作に伴い、例えば連結アーム３３が略２０度揺動した位置で、検出レバー４７ａがカム部４０ｄの外周面と接触して矢印Ｂ２方向へ動作する（図１３（ａ）参照）。これにより、検出スイッチ４７がオフ状態になることに応じて、制御装置６はチップＬＥＤ２９を消灯させる。
そして、図１４（ｂ）に示すように、照明具２０が照明位置から収納照明位置まで揺動すると、支持装置２１において、第２板バネ３８の当接部３８ｄが連結アーム３３の節度用凹部３９ａに当接することで使用者に節度感が与えられると共に、取付部３２の係止片３７ａで連結アーム３３の係合段部４２ｅを係止することにより、照明具２０の収納位置が保持される。この照明具２０の収納位置では、前述のように針棒１０や縫針１１の手前側が開放されると共に、針棒ケース５（そのカバー５ａを含む）の前面側が完全に開放されるため、上糸の糸掛けや縫針１１の交換等の作業の際に、照明具２０や支持装置２１が邪魔になることはない。
【００３９】
以上のように本実施形態の照明装置８は、照明具２０を、針棒１０の手前側或は縫針１１の手前側に位置してチップＬＥＤ２９により縫針１１の針落ち点の周辺部を照明する照明位置と、針棒１０の手前側及び縫針１１の手前側を開放し且つ針棒ケース５の側面部に沿う収納位置とに切換可能に支持する支持装置２１とを備えている。この構成によれば、照明具２０を照明位置たる針棒１０の手前側或は縫針１１の手前側に位置させることにより、縫針の針落ち点の周辺部を充分に照明することができる。他方、照明具２０を収納位置たる針棒ケース５の側面部に沿って位置させることにより、針棒１０や縫針１１の手前側を完全に開放した状態で、上糸の糸掛けや縫針の交換を行うことができ、照明具２０が邪魔になることがない。また、この照明具２０の移動を、支持装置２１によって照明位置と収納位置との間で切換えるだけで、多針ミシンＭ側の部材（針棒ケース５や前記刺繍枠）に接触させることなく簡単に行うことができ、使い勝手を向上させることができる。
【００４０】
支持装置２１は、照明具２０を、針棒１０の中心軸線Ｌ２に対して側面視にて平行で且つ正面視にて所定角度傾斜した揺動中心軸線Ｌ１の周りに、照明位置と収納位置との間で揺動可能に支持する１つの支持軸３４を有する。この支持装置２１によれば、支持軸３４を揺動支点とする支持構造を有するので、簡単な構成で照明具２０を照明位置と収納位置とに切換えることができる。
例えば、照明具２０を照明位置から収納位置へ切換える場合、本発明と異なり２つのヒンジ部を用いて、針棒ケース５に対し左右方向と前後方向とに各別に揺動させることも考えられる。これに対し、支持軸３４の中心軸としての揺動中心軸線Ｌ１が、針棒１０の中心軸線Ｌ２に対して側面視にて平行で且つ正面視にて４５度傾斜するように設定されているため、１つの支持軸３４で照明具２０を照明位置と収納位置との間で揺動させることができ、支持軸３４の構成を極力簡単にできる。
【００４１】
支持装置２１は、針棒ケース５の側面部に固定される取付部３２と、取付部３２と照明具２０とを連結する連結アーム３３と、取付部３２に対し連結アーム３３を介して照明具２０を揺動可能に支持する支持軸３４とを有し、長尺形状をなす照明具２０は、照明位置で複数の針棒１０の配列に沿って略水平になり収納位置で針棒ケース５の側面部に沿って略垂直になるよう、連結アーム３３に連結されている。これによれば、照明具２０は、照明位置で略水平になるので針棒１０の配列に沿ってチップＬＥＤ２９により照明することができる。また、長尺形状をなす照明具２０を、収納位置で針棒ケース５の側面部に沿って略垂直に起立させることで、多針ミシンＭに対してコンパクトに収納することができ、多針ミシンＭに好適な照明装置とすることができる。
【００４２】
支持装置２１は、照明具２０を針棒ケース５に対して揺動可能に支持する揺動機構を有することから、簡単な構成で照明具２０を照明位置と収納位置とに切換えることができる。また、揺動機構において、その揺動中心軸線を前記のＬ１の如く設定することで、上記と同様に支持装置２１の構成を極力簡単にできる。
また、照明装置８は、照明具２０の位置を検出する検出スイッチ４７を有し、検出スイッチ４７の検出結果に応じてチップＬＥＤ２９が点灯又は消灯するように構成されている。これによれば、チップＬＥＤ２９を、照明具２０の照明位置で点灯させ収納位置で消灯させることができる。つまり、点灯用の操作スイッチを別途設け、光源を点灯又は消灯させるために、使用者がその操作スイッチを操作するというようなことが不要となる。従って、操作性に優れると共に省エネルギーの観点からも好ましく、実用上において有益な照明装置８とすることができる。
照明具２０は、支持装置２１により照明位置における針落ち点の周辺部に対する前後方向の照明角度αを調整可能に支持されている。これによれば、照明位置において針落ち点の周辺部に対する前後方向の照明角度αを、使用者の好みに応じて適宜調整することができ、使い勝手のよいものとすることができる。
【００４３】
本発明は、上記した実施形態にのみ限定されるものではなく、次のように変形または拡張できる。
光源は、チップＬＥＤ２９に限定されるものではなく、例えば、他のＬＥＤや蛍光灯等を用いてもよい。また、揺動中心軸線Ｌ１の正面視における傾斜角度は、４５度の傾斜角度に限定されるものでなく、側面視における揺動中心軸線の角度を含め適宜変更することができる。上記実施形態における「略垂直」は垂直を包含し、「略水平」は水平を包含する。即ち、照明具２０を、照明位置で水平に且つ収納位置で針棒ケース５の側面部に沿って垂直になるよう、支持装置で支持するように構成してもよい。
【符号の説明】
【００４４】
Ｍ    多針ミシン
Ｌ１  揺動中心軸線
Ｌ２  中心軸線
５    針棒ケース
８    照明装置
１０    針棒
１１    縫針
２０    照明部材
２１    支持手段、揺動機構
３２    取付部
３３    連結アーム
３４    支持軸
４７    検出手段
【図１】
2010187977.tif 000003
【図２】
2010187977.tif 000004
【図３】
2010187977.tif 000005
【図４】
2010187977.tif 000006
【図５】
2010187977.tif 000007
【図６】
2010187977.tif 000008
【図７】
2010187977.tif 000009
【図８】
2010187977.tif 000010
【図９】
2010187977.tif 000011
【図１０】
2010187977.tif 000012
【図１１】
2010187977.tif 000013
【図１２】
2010187977.tif 000014
【図１３】
2010187977.tif 000015
【図１４】
2010187977.tif 000016